(57)【要約】【課題】Ｖ−Ｗ相間紙の移動又は浮き上がりによりＵ相コイルとＶ相コイルが接触することを防止する。【解決手段】３相誘導モータのステータは、ステータコアと、該ステータコアに装着されたＵ相コイル、Ｖ相コイル及びＷ相コイルを含む３相コイルと、上記Ｕ相コイルと上記Ｖ相コイルの間に配置されたＵ−Ｖ相間紙と、上記Ｖ相コイルと上記Ｗ相コイルの間に配置されたＶ−Ｗ相間紙と、を有し、上記ステータコアの端面には、上記Ｕ−Ｖ相間紙の縁が当接するための段差が設けられている。【選択図】  図１
2004260881.tif 000002
【特許請求の範囲】
【請求項１】
ステータコアと、該ステータコアに装着されたＵ相コイル、Ｖ相コイル及びＷ相コイルを含む３相コイルと、上記Ｕ相コイルと上記Ｖ相コイルの間に配置されたＵ−Ｖ相間紙と、上記Ｖ相コイルと上記Ｗ相コイルの間に配置されたＶ−Ｗ相間紙と、を有し、上記ステータコアの端面には、上記Ｕ−Ｖ相間紙の縁が当接するための段差が設けられていることを特徴とする３相誘導モータのステータ。
【請求項２】
上記段差は上記ステータコアの端面に配置されたカフサに形成された凸部によって構成されていることを特徴とする請求項１記載の３相誘導モータのステータ。
【請求項３】
上記段差は上記ステータコアの端面に配置されたカフサの上に設けられたリングによって構成されていることを特徴とする請求項１記載の３相誘導モータのステータ。
【請求項４】
中心のロータと該ロータを囲むように配置されたステータとを有し、該ステータは、ステータコアと、該ステータコアに装着されたＵ相コイル、Ｖ相コイル及びＷ相コイルを含む３相コイルと、上記Ｕ相コイルと上記Ｖ相コイルの間に配置されたＵ−Ｖ相間紙と、上記Ｖ相コイルと上記Ｗ相コイルの間に配置されたＶ−Ｗ相間紙と、を有し、上記ステータコアの端面には、上記Ｕ−Ｖ相間紙の縁が当接するための段差が設けられていることを特徴とする３相誘導モータ。
【発明の詳細な説明】
【０００１】
【発明の属する技術分野】
本発明は自動車等の車輌に使用して好適な３相交流誘導モータに関し、特に、そのステータ構造に関する。
【０００２】
【従来の技術】
電気自動車、ハイブリット電気自動車等には３相交流誘導モータが使用される。図３及び図４を参照して、従来の３相交流誘導モータのステータの構造の例を説明する。３相交流誘導モータは中心のロータと該ロータを囲むように配置されたステータとを有する。図３に示すように、ステータは、円筒状のステータコア１０を有し、該ステータコア１０の円筒状の内面には、軸線方向に延びる複数のスロット１６が等角度間隔にて形成されている。スロット１６は、ステータコアの一方の端面から他方の端面まで、延びている。図４に示すように、ステータコアの端面１２には、薄い板状のカフサ４０が配置されている。
【０００３】
図示しないが、ステータコア１０のスロット１６にはスロット紙が挿入され、３相コイルとスロット１６の内面の接触を防止する。カフサ４０はカフスサポートとも称され、スロット紙の端面の折り返し（カフス）を支持する。
【０００４】
ステータコア１０の円筒状の内面には、分布巻型の３相コイル、即ち、Ｕ相コイル２２、Ｖ相コイル２４、及びＷ相コイル２６が装着されている。
【０００５】
各コイルは略矩形に形成され、互いに平行な２つの軸線部と互いに平行な２つの円周部を含む。軸線部は、ステータコア１０のスロット１６内に配置され、円周部は、ステータコア１０の端面１２のカフサ４０の上にて、２つのスロット１６を跨るように配置される。図４は、ステータコア１０の端面１２のカフサ４０の上に配置された各コイルの円周部の断面を示す。図示のように、ステータコアの端面１２のカフサ４０上にて、Ｕ相コイル２２の円周部は半径方向に最も外側に配置され、次に、Ｖ相コイル２４の円周部が配置され、Ｗ相コイル２６の円周部は半径方向に最も内側に配置される。
【０００６】
図３の例では、ステータコア１０の内面に４８個のスロットが形成され、６個のスロットの両端の２個のスロットに各コイルの軸線部が配置される。
【０００７】
コイルは通常、エナメル線よりなり、コイル間又はコイルとスロットの間が接触すると、エナメル皮膜が剥がれ、絶縁性が劣化する。Ｕ相コイル２２とＶ相コイル２４の間にはＵ−Ｖ相間紙３２が配置され、Ｖ相コイル２４とＷ相コイル２６の間にはＶ−Ｗ相間紙３４が配置されている。相間紙は隣接するコイルが接触することを防止する。尚、図示しないが、ステータコア１０のスロット１６にもスロット紙が挿入され、３相コイルとスロット１６の内面の接触を防止する。
【０００８】
図５に示すように、Ｕ−Ｖ相間紙３２は、２つの円周部３２Ａ、３２Ｂと２つの接続部３２Ｃ、３２Ｄからなり、これらの４つの部分によって矩形の窓部３２Ｅが形成される。円周部３２Ａ、３２Ｂは、ステータコア１０の端面１２のカフサ４０上に配置され、接続部３２Ｃ、３２Ｄはステータコア１０のスロット１６内に配置される。
【０００９】
ステータコアにコイルを装着する方法を説明する。先ず、ステータコア１０の円筒状の内面にＵ相コイル２２を装着する。即ち、Ｕ相コイル２２の軸線部分をステータコアのスロット１６内に配置し、Ｕ相コイル２２の円周部分をステータコアの端面１２のカフサ４０上に配置する。次に、Ｕ相コイル２２の円周部分を半径方向外方に拡大する。次に、Ｕ−Ｖ相間紙３２を配置する。次に、Ｖ相コイル２４を装着する。即ち、Ｖ相コイル２４の軸線部分をステータコアのスロット１６内に配置し、Ｖ相コイル２４の円周部分をステータコアの端面１２のカフサ４０上に配置する。次に、Ｖ相コイル２４の円周部分を半径方向外方に拡大する。Ｖ−Ｗ相間紙３４を配置し、Ｗ相コイル２６を配置する。
【００１０】
最後に、ステータコアの端面１２のカフサ４０上に配置された３相コイルの円周部分を成形し、３相コイルのコイルエンドを電気的に接続する。
【００１１】
【発明が解決しようとする課題】
ステータコアの内面に３相コイルを装着する工程にて、Ｗ相コイル２６を装着する前に、Ｖ相コイル２４の円周部分、即ち、ステータコアの端面１２に露出した部分を半径方向外方に拡大する。このとき、Ｕ−Ｖ相間紙３２が移動し、Ｕ相コイル２２とＶ相コイル２４が接触することがある。
【００１２】
図６Ａに示すように、Ｕ−Ｖ相間紙３２の円周部３２Ａの縁は、ステータコアの端面１２のカフサ４０に接するように配置されるのが好ましいが、図６Ｂに示すように、Ｖ相コイル２４の円周部分の拡大工程によって、Ｕ−Ｖ相間紙３２の円周部３２Ａが浮き上がり、Ｕ−Ｖ相間紙３２の円周部３２Ａの縁とステータコアの端面１２のカフサ４０の間に隙間ｄが生ずる。この隙間ｄによって、Ｕ相コイル２２とＶ相コイル２４が接触し、両者間の絶縁が不良となる可能性がある。
【００１３】
本発明の目的は、３相交流誘導モータのステータコアに分布巻型のコイルを配置するとき、Ｕ−Ｖ相間紙の移動を防止し、Ｕ相コイルとＶ相コイルが接触することを防止することを目的とする。
【００１４】
本発明の目的は、３相交流誘導モータのステータコアに分布巻型のコイルを配置するとき、Ｕ−Ｖ相間紙の移動を防止し、Ｕ相コイルとＶ相コイルの間の絶縁不良を防止することを目的とする。
【００１５】
【課題を解決するための手段】
本発明によると、３相誘導モータのステータは、ステータコアと、該ステータコアに装着されたＵ相コイル、Ｖ相コイル及びＷ相コイルを含む３相コイルと、上記Ｕ相コイルと上記Ｖ相コイルの間に配置されたＵ−Ｖ相間紙と、上記Ｖ相コイルと上記Ｗ相コイルの間に配置されたＶ−Ｗ相間紙と、を有し、上記ステータコアの端面には、上記Ｕ−Ｖ相間紙の縁が当接するための段差が設けられている。
【００１６】
この段差によって、Ｕ−Ｖ相間紙の移動又は浮き上がりが阻止され、Ｕ相コイルとＶ相コイルの接触が阻止される。
【００１７】
【発明の実施の形態】
図１を参照して本発明による３相交流誘導モータのステータの構造の例を説明する。本例のステータは、ステータコア１０とステータコアの端面１２に配置された薄い板状のカフサ４０と分布巻型の３相コイル２２、２４、２６とを有する。３相コイルは、Ｕ相コイル２２とＶ相コイル２４とＷ相コイル２６と有し、Ｕ相コイル２２とＶ相コイル２４の間にはＵ−Ｖ相間紙３２が配置され、Ｖ相コイル２４とＷ相コイル２６の間にはＶ−Ｗ相間紙３４が配置されている。
【００１８】
３相コイルの軸線部はステータコア１０のスロット１６に配置され、３相コイルの円周部は、図示のように、ステータコア１０の端面１２に配置されたカフサ４０の上に配置されている。
【００１９】
図示のように、本発明によると、カフサ４０は段差を形成する凸部４２を有する。この凸部４２の段差は、Ｕ−Ｖ相間紙３２の円周部３２Ａの縁が当接するように、Ｕ相コイル２２とＶ相コイル２４の間にて、Ｕ−Ｖ相間紙３２の位置に設けられている。カフサ４０の段差は、Ｕ−Ｖ相間紙３２の移動又は浮き上がりを防止する。カフサ４０の凸部４２の高さ、即ち、段差の高さは、数ミリメートルであってよく、例えば、３〜５ｍｍであってよい。
【００２０】
本発明によるステータの組み立て方法、特に、ステータコアにコイルを装着する方法を説明する。ステータコア１０の円筒状の内面に、先ず、Ｕ相コイル２２を装着する。Ｕ相コイル２２の軸線部をスロット１６内に配置し、Ｕ相コイル２２の円周部をステータコアの端面１２のカフサ４０上に配置する。次に、カフサ４０上に配置されたＵ相コイル２２の円周部を半径方向外方に拡大する。次に、Ｕ−Ｖ相間紙３２を配置する。このとき、Ｕ−Ｖ相間紙３２の円周部３２Ａの縁がカフサ４０の段差に当接する。次に、Ｖ相コイル２４を装着する。次に、カフサ４０上に配置されたＶ相コイル２４の円周部分を半径方向外方に拡大する。本例では、このＶ相コイル２４の拡大工程にて、Ｕ−Ｖ相間紙３２の円周部３２Ａの縁がカフサ４０の段差に当接し、Ｕ−Ｖ相間紙３２の円周部３２Ａの移動又は浮き上がりが阻止される。
【００２１】
図２を参照して本発明による３相交流誘導モータのステータの構造の他の例を説明する。本例のステータは図１のステータと比較して、段差付きカフサ４０の代わりに従来のカフサ４０の上にリング４６が設けられている点が異なる。
【００２２】
リング４６の内面によって、図１の例のカフサ４０の段差と同様な機能を提供する。従って、Ｕ−Ｖ相間紙３２の円周部３２Ａの縁がリング４６の内面に当接するように、リング４６の径が設定される。リング４６の材料は、カフサ４０の材料と同一であってよく、又は異なっても良い。リング４６の厚さ、数ミリメートルであってよく、例えば、３〜５ｍｍであってよい。
【００２３】
以上、本発明の例を説明したが、本発明は上述の例に限定されるものではなく、特許請求の範囲に記載された発明の範囲にて、様々な変形が可能であることは当業者に理解されよう。
【００２４】
【発明の効果】
本発明によると、３相交流誘導モータのステータコアに分布型巻線コイルを配置するとき、Ｕ−Ｖ相間紙の浮き上がりを防止し、Ｕ相コイルとＶ相コイルが接触するのを防止することができる効果がある。
【００２５】
本発明によると、３相交流誘導モータのステータコアに分布型巻線コイルを配置するとき、Ｕ−Ｖ相間紙の浮き上がりを防止し、Ｕ相コイルとＶ相コイルの間の接触を防止することができる効果がある。
【図面の簡単な説明】
【図１】本発明による３相交流誘導モータのステータの断面構成を説明するための説明図である。
【図２】本発明による３相交流誘導モータのステータの断面構成の他の例を説明するための説明図である。
【図３】従来の３相交流誘導モータのステータの上面の構成を説明するための説明図である。
【図４】従来の相交流誘導モータのステータの断面構成の例を説明するための説明図であり、図３のステータを線Ａ−Ａに沿って切断した断面を模式的に示す説明図である。
【図５】Ｕ−Ｖ相間紙の構成例を説明するための説明図である。
【図６】Ｕ−Ｖ相間紙がステータに装着された状態を説明するための説明図である。
【符号の説明】
１０…ステータコア、１２…端面、１６…スロット１６、２０…３相コイル、２２…Ｕ相コイル、２４…Ｖ相コイル、２６…Ｗ相コイル、３２…Ｕ−Ｖ相間紙、３４…Ｖ−Ｗ相間紙、４０…カフサ、４２…突起、４６…リング
【図１】
2004260881.tif 000003
【図２】
2004260881.tif 000004
【図３】
2004260881.tif 000005
【図４】
2004260881.tif 000006
【図５】
2004260881.tif 000007
【図６】
2004260881.tif 000008